(57)【要約】【課題】  発呼を行うとき、電話番号に対応した複数のメッセージの中から任意のメッセージを選択し、発呼処理が行われているときに選択されたメッセージを送信できる携帯電話機を提供する。【解決手段】  キー操作により電話番号と文字からなるメッセージを入力する入力手段（キー入力部１９）と、入力手段で入力されたメッセージを予め複数記憶する記憶手段（RAM１７）と、入力手段により電話番号が入力され、発呼を行うとき、記憶手段に記憶されている複数のメッセージから任意のメッセージをキー操作で選択する手段と、入力手段で入力した電話番号へ発呼する発呼処理手段（ＣＰＵ１１他）と、発呼処理手段による発呼処理が行われているときに、選択されたメッセージを送信する送信手段（無線通信回路部１５，ＣＰＵ１１他）とを有する携帯電話機である。【選択図】        図２
2008154272.tif 000002
【特許請求の範囲】
【請求項１】
キー操作により電話番号と文字からなるメッセージを入力する入力手段と、
前記入力手段で入力されたメッセージを予め複数記憶する記憶手段と、
前記入力手段により電話番号が入力され、発呼を行うとき、前記記憶手段に記憶されている複数のメッセージから任意のメッセージを選択する手段と、
前記入力手段で入力した電話番号へ発呼する発呼処理手段と、
前記発呼処理手段による発呼処理が行われているときに、前記選択された任意のメッセージを送信する送信手段とを有することを特徴とする携帯電話機。
【請求項２】
前記送信手段により任意のメッセージを送信した後に、着信側携帯電話機でオフフックがなされると、通話処理を行う手段を有することを特徴とする請求項１記載の携帯電話機。
【発明の詳細な説明】
【技術分野】
【０００１】
本発明は、通話機能以外に電子手帳やメール機能等のデータ送受信の付加機能を有する携帯電話機に係り、特に、予め登録された電話番号に発呼する際に発信者情報を送信する電話システムに関する。
【背景技術】
【０００２】
従来の電話システムにおいて、発信時に発信側の情報を着信側に通知する機能としては、通信事業者が行う発信者番号表示サービスがあった。
これは、発信側の事業者設備（交換機）で保持している発信者の電話番号を着信側の交換機に送信し、着信側の交換機から着信側電話機に送信し、着信側電話機で発信者の電話番号を表示するものである。この時、着信側電話機で発信者の電話番号を電話帳登録してある場合には、電話帳登録されている情報、例えば、氏名やグループなどを電話番号の代わりに、又は電話番号と共に表示する機能が実現されている。
【０００３】
また、電話システムにおいて発呼時に発信者情報を着信側に送信する従来技術としては、平成１１年２月２日公開の特開平１１−３２１１５「携帯端末」（出願人：国際電気株式会社、発明者：嶋田信康）がある。
この従来技術は、回線が接続すると、発信者側電話機から静止画又は動画の画像データ及び音声データを発信者情報として通知し、また、着信者側電話機からも同様の画像データ及び音声データを着信者情報として通知し、双方が相手を確認し、着信者のオフフックにより通話を開始する携帯端末であり、これにより、回線接続後に発信者と受信者の情報を送受信し、相手を確認した場合に通話を行うことができるものである。
【０００４】
【特許文献１】特開平１１−３２１１５号公報
【発明の開示】
【発明が解決しようとする課題】
【０００５】
しかしながら、上記従来の電話システムでは、発信者の電話番号のみを着信側に通知するものであり、着信側電話機に発信者番号に対応する所有者の情報を持っていなければ、発信者の電話番号を知ることができても、発信者に関する情報を知ることができず解りにくいという問題点があった。
【０００６】
また、特開平１１−３２１１５で提案された携帯端末では、通話開始前に画像データや音声データなどの発信者情報が送信され、相手を確認してから通話を開始するので、課金開始前に多量のデータが流れるが、通話を開始しない場合には、全く課金されないことになり、運用面からいって実用化するのは難しいという問題点があった。
また、通話開始前に発信者情報の送信時に課金する方法も考えられるが、無条件に発信者情報を送信するので、発信者情報の送信が必要でないような場合にも課金されてしまい、実用化するのは難しいという問題点があった。
【０００７】
本発明は上記実情に鑑みて為されたもので、発呼を行うとき、複数のメッセージの中から任意のメッセージを選択し、発呼処理が行われているときに選択されたメッセージを送信できる携帯電話機を提供することを目的とする。
【課題を解決するための手段】
【０００８】
上記従来例の問題点を解決するための本発明は、携帯電話機において、キー操作により電話番号と文字からなるメッセージを入力する入力手段と、入力手段で入力されたメッセージを予め複数記憶する記憶手段と、入力手段により電話番号が入力され、発呼を行うとき、記憶手段に記憶されている複数のメッセージから任意のメッセージを選択する手段と、入力手段で入力した電話番号へ発呼する発呼処理手段と、発呼処理手段による発呼処理が行われているときに、選択された任意のメッセージを送信する送信手段とを有することを特徴とする。
【０００９】
本発明は、上記携帯電話機において、送信手段により任意のメッセージを送信した後に、着信側携帯電話機でオフフックがなされると、通話処理を行う手段を有することを特徴とする請求項１記載の携帯電話機。
【発明の効果】
【００１０】
本発明によれば、キー操作により電話番号と文字からなるメッセージを入力する入力手段と、入力手段で入力されたメッセージを予め複数記憶する記憶手段と、入力手段により電話番号が入力され、発呼を行うとき、記憶手段に記憶されている複数のメッセージから任意のメッセージを選択する手段と、入力手段で入力した電話番号へ発呼する発呼処理手段と、発呼処理手段による発呼処理が行われているときに、選択された任意のメッセージを送信する送信手段とを有する携帯電話機としているので、発呼処理が行われているときに選択されたメッセージが送信できる。
【００１１】
本発明によれば、送信手段により任意のメッセージを送信した後に、着信側携帯電話機でオフフックがなされると、通話処理を行う手段を有する上記携帯電話機としているので、メッセージ送信後の着信側のオフフックで通話状態にできる。
【発明を実施するための最良の形態】
【００１２】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１３】
本発明に係る電話システムは、発信側電話機が、発信者の情報と当該発信者の情報の送信先電話番号とを予め記憶すると共に、送信先電話番号へ発呼を開始した場合、事業者設備との回線接続後に発信者の情報を送信し、事業者設備が、発信側電話機に対応付けて登録された発信者の情報の送信先電話番号を予め記憶し、発信側電話機からの発呼を受け付け、発呼先の電話番号が記憶している情報送信先電話番号である場合、通話開始前に為された発信者の情報送信にも課金を行い、着呼側電話機が、事業者設備からの呼び出しを受ける際に、発信者の情報を受信して表示してから着呼の処理を行い、通話が為されない時には、受信した発信者の情報を記憶する電話システムとしているので、通話開始前に発信者の情報を送信する機能を実用可能なサービスとして実現できるものである。
【００１４】
まず、本発明の電話システムの概略構成について図１を使って説明する。図１は、本発明の実施の形態に係る電話システムのシステム構成図である。
本発明の電話システムの構成は、図１に示すように、発信側電話機１と、事業者設備２と、着信側電話機３とから構成されている。
【００１５】
次に、本発明の電話システムを構成する各部について具体的に説明する。
発信側電話機１は、一般的な電話機として任意の電話番号に対して発呼を行い通話を実現する機能に加えて、本発明の電話機の特徴として、発信者に関する画像や文字の情報（発信者情報）を１つ又は複数種類記憶し、各発信者情報に対応付けて当該発信者情報の送信先電話番号を記憶しておき、記憶されている送信先電話番号に対して発呼を行う際に、対応付けられて記憶されている発信者情報を事業者設備２を介して着信側電話機３へ送信するようになっている。
【００１６】
事業者設備２は、一般的な電話システムの事業者設備として、発信側電話機１からの発呼を受け付け、着信側電話機３を呼び出し、発信側電話機１と着信側電話機３との通話を実現し課金する機能に加えて、本発明の事業者設備の特徴部分として、発信側電話機１の電話番号に対応付けて発信者情報を送信する情報送信先電話番号を予め記憶し、発信側電話機１からの発呼を受け付け、発呼先の電話番号が記憶している情報送信先電話番号である場合、通話開始前に為された発信者の情報送信にも課金する事業者設備である。
尚、事業者設備２への情報送信先電話番号の登録は、電話やインターネット等から行えるようにすればよい。
【００１７】
着信側電話機３は、一般的な電話機として事業者設備２からの呼び出しを受けて着呼を行い、通話を実現する機能に加えて、事業者設備２を介して発信側電話機１からの発信者情報を受信すると表示して、通話が為されない場合は受信した発信者情報を記憶するようになっている。
【００１８】
次に、本発明の電話システムの動作について説明する。
本発明の電話システムは、発信側電話機１に予め発信者情報と発信者情報の送信先電話番号が記憶されており、発信側電話機１によって送信先電話番号が発呼されると、発信者情報が送信され、事業者設備２を介して送信先電話番号である着信側電話機３が呼び出されると共に、発信者情報が着信側電話機３に送信され、着信側電話機３に発信者情報が表示されてから着呼され、通話が為されない時には、受信された発信者情報が記憶される。
この時、事業者設備２において、送信先電話番号が予め記憶されている発信側電話機１に対応付けられた情報送信先電話番号である場合は、発信者情報の送信にも課金されるようになっている。
【００１９】
次に、本発明の電話システムを構成する電話機の内部構成について図２を使って説明する。図２は、本発明の実施の形態に係る電話システムにおける電話機の構成例を示すブロック図である。
本実施の形態の電話システムにおける発信側又は着信側の電話機は、図２に示すように、ＣＰＵ１１と、表示部１２と、マイクロホン１３と、アンテナ１４と、無線通信回路部１５と、スピーカー１６と、ＲＡＭ１７と、ＲＯＭ１８と、キー入力部１９とから構成されている。
尚、図２の電話機は、無線通信機能を有する携帯電話機を示しているが、携帯電話機に限らず、固定電話機であっても構わない。
【００２０】
次に本発明の携帯端末を構成する各部について具体的に説明する。
アンテナ１４は、電波を受信および送信するもので、受信した電気信号を無線通信回路部１５に出力し、無線通信回路部１５から入力した電気信号を送信するようになっている。
【００２１】
マイクロホン１３は、音声を入力するもので、音声を入力して対応する電気信号に変換して無線通信回路部１５に出力するようになっている。
【００２２】
スピーカー１６は、音声を出力するもので、無線通信回路部１５から電気信号を入力して音声に変換するようになっている。
【００２３】
無線通信回路部１５は、データの送受信を行うもので、アンテナ１４を介して受信した音声データをスピーカ１６に送出し、マイクロホン１３から入力した音声データをアンテナ１４を介して送信する一般的な通話機能に加えて、本発明の特徴部分として、発信側電話機においては、ＣＰＵ１１から入力した画像や文字情報の発信者情報を送信し、着信側電話機においては、受信した画像や文字情報の発信者情報をＣＰＵ１１に出力するようになっている。
【００２４】
キー入力部１９は、キー情報が入力される一般的な操作部で、具体的には、基本機能としてのダイアルキー、オフフックキー（通話キー）、オンフックキー（終話キー）の他、発信者情報を設定する際や受信記録を表示する際に操作される特定機能キーや矢印キーなどが配置されており、いずれかのキーが操作されると、対応するキー情報をＣＰＵ１１に伝えるようになっている。
【００２５】
表示部１２は、一般的な情報の表示部であるが、本発明では着信側電話機において、受信した発信者情報の文字や画像等を表示するようになっている。
【００２６】
ＲＯＭ１８は、電話システムの各動作のプログラムが格納されているもので、発信側電話機による発呼処理、着信側電話機による受信処理のプログラム等が格納されている。
【００２７】
ＲＡＭ１７は、一般的な電話帳データなどのユーザ設定情報を記憶する不揮発性メモリであり、特に本発明では、発信者情報を送信するための各種データを記憶している。
具体的に、発信者情報を送信するためデータとしては、図２に示すように、送信先電話番号レジスタ２１と、発信者電話番号レジスタ２２と、発信者情報記憶部２３と、発信者情報送信先リスト２４と、受信記録部２５から構成されている。
【００２８】
ＲＡＭ１７内の送信先電話番号レジスタ２１は、発信側電話機において、発呼時に相手先の電話番号を記憶するレジスタである。
発信者電話番号レジスタ２２は、着信側電話機において、着信時に発信者電話番号を記憶するレジスタである。
【００２９】
ＲＡＭ１７内の発信者情報記憶部２３は、発信者に関する画像や文字の情報（発信者情報）を１つ又は複数種類記憶し、各発信者情報に対応付けて当該発信者情報の送信先電話番号を記憶するものである。
ここで、発信者情報記憶部２３の具体例について、図３を使って説明する。図３は、本発明の電話システムにおける発信側電話機の発信者情報記憶部の構成及び記憶例を示す説明図である。
電話システムにおける発信側電話機の発信者情報記憶部２３は、図３に示すように、画像エリアと文字情報エリアと送信先電話番号エリアとで構成されており、画像と文字情報の発信者情報の種類毎に送信先電話番号を記憶するようになっている。尚、当エリアに記憶される情報は、電話機のキー入力部１９から入力したものでも良いし、パソコンなどから取り込んだものでも良く、その取り込み方法などについては、本発明において限定するものではない。
【００３０】
例えば、画像エリアには、発信者情報として送る写真、絵などの画像情報を記憶する。画像情報はキャラクタ配信サービスやメール機能で得られたキャラクタ、ディジタルカメラで撮った画像、電話装置に予め記億されている画像などである。
文字情報エリアには、入力した氏名、会社名、電話番号、住所、メッセージなどの文字情報を記憶する。
送信先電話番号エリアには、画像情報と文字情報から成る発信者情報を送信したい相手先の電話番号を記憶する。例えば、図３にあるように、ビジネスユースとして、取引先などに電話する場合に送信する発信者情報として、Ｎｏ．１のように名刺代わりの情報を登録し、取引先などの電話番号を送信先電話番号に登録しておく。また、友人などには、発信者情報として、Ｎｏ．３のようなラフな格好の画像と、ちょっとした挨拶文を組み込んだような情報を登録し、友人の電話番号を送信先電話番号に登録しておく。
【００３１】
ＲＡＭ１７内の発信者情報送信先リスト２４は、発呼時に発信者情報を送信する全ての電話番号を記憶しておくエリアである。
ここで、発信者情報送信先リスト２４の具体例について、図４を使って説明する。図４は、本発明の電話システムにおける発信側電話機の発信者情報送信先リストの構成例を示す説明図である。
電話システムにおける発信側電話機の発信者情報送信先リスト２４は、電話番号エリアに発信者情報を送信する送信先電話番号を全て予め記憶するもので、図３に示したような発信者情報が記憶されている場合には、図４に示すよう電話番号が記憶されることになる。
【００３２】
ＲＡＭ１７内の受信記憶部２５は、着信側電話機として、発信者情報を受信し、通話を行わなかった場合に受信した発信者情報及びその着信履歴を記憶するものである。
ここで、受信記憶部２５の具体例について、図５を使って説明する。図５は、本発明の電話システムにおける着信側電話機の受信記憶部の記憶例を示す説明図である。
電話システムにおける着信側電話機の受信記憶部２５は、図５に示すように、受信日時エリア、画像エリア、発信者文字情報エリア、発信者電話番号エリアとで構成されており、着信側電話機が通話されない場合受信者の情報を記憶するようになっている。
受信日時エリアには、電話を受信した日時を記憶し、画像エリア、発信者文字情報エリアには、それぞれ送信されてきた画像情報、文字情報を記憶し、発信者電話番号エリアには、受信した電話の発信者電話番号を記憶するようになっている。
【００３３】
ＣＰＵ１１は、電話システムにおける一般的な制御を行うもので、ＲＯＭ１８に格納されている発信側電話機の発呼処理、着信側電話機の着呼処理のプログラムを読み出して制御を行うようになっている。
【００３４】
本発明の発信側電話機における発呼処理は、発呼先の電話番号が、発信者情報送信先リスト２４に記憶されている場合に、当該電話番号に対応する発信者情報を送信する処理である。
ここで、本発明の電話システムにおける発信側電話機の発呼処理の具体的な流れについて、図６を使って説明する。図６は、本発明の電話システムにおける発信側電話機の発呼処理の流れを示すフローチャート図である。
【００３５】
本発明の電話システムにおける発信側電話機の発呼処理は、発呼のために、例えばキー入力部１９でオフフックキーが押下されると起動され、キー入力部１９から電話番号を入力し（Ｓ１）、入力された電話番号をＲＡＭ１７の送信先電話番号レジスタ２１に格納し（Ｓ２）、回線接続を行って接続されたか判断を行い（Ｓ３）、回線接続されるまで処理Ｓ３を繰り返す。
【００３６】
そして、回線が接続されたなら（Ｙｅｓ）、Ｓ１で入力された電話番号が発信者情報送信先リスト２４の電話番号エリアにリストされているか確認することによって、発信者情報を送信するか判断し（Ｓ４）、送付しない場合（Ｎｏ）は、処理Ｓ７へ行く。
【００３７】
一方、処理Ｓ４において、送信する場合（Ｙｅｓ）は、発信者情報記憶部２３から送信先電話番号レジスタ２１に記憶された電話番号に対応した画像や文字情報の発信者情報を読み出して（Ｓ５）、発信者情報を無線通信回路部１５へ出力して送信させる（Ｓ６）。
【００３８】
そして、呼出し待ちし（Ｓ７）、その後、回線断を検出した場合（２）は、発呼処理を終了し、オフフックを検出した場合（１）は、通話状態にし（Ｓ９）、オンフックが検出されたか判断を行い（Ｓ１０）、オンフックされない場合（Ｎｏ）は、処理Ｓ９に戻り、オンフックされた場合（Ｙｅｓ）は、発呼処理を終了する。
【００３９】
尚、上記説明では、発信者情報送信先リスト２４を設け、発信者情報送信先リスト２４を参照することによって、入力した電話番号が発信者情報を送信する番号か否かを判断したが、発信者情報記憶部２３の送信先電話番号を順に検索して、入力した電話番号が発信者情報を送信する番号か否かを判断するようにしても構わない。
【００４０】
また、上記説明では、発信者情報記憶部２３で送信する画像と文字情報から成る発信者情報と電話番号を対応をさせて記憶し、発呼時に発信者情報記憶部２３を参照して電話番号に対応付けられた発信者情報を送信しているが、ダイヤル時にキー操作によって発信者情報を選択するようにしても構わない。
【００４１】
本発明の着信側電話機における着呼処理は、着呼を受け付け、発信者情報が送信されると、受信して一時記憶し、表示し、通話が開始されない場合に、記憶する処理である。
ここで、本発明の電話システムにおける着信側電話機の着呼処理の流れについて、図７を使って説明する。図７は、本発明の電話システムにおける着信側電話機の着呼処理の流れを示すフローチャート図である。
【００４２】
本発明の電話システムにおける着信側電話機の着呼処理は、無線通信回路部１５から着呼を受け付けると起動され、発信者番号の検出を行い（Ｓ２１）、発信者番号を検出しない場合（Ｎｏ）は、処理Ｓ２５へ行く。
【００４３】
一方、処理Ｓ２１において、発信者番号を検出した場合（Ｙｅｓ）は、発信者電話番号レジスタ２２に発信者番号を記憶し（Ｓ２２）、画像と文字情報等から成る発信者情報の検出を行い（Ｓ２３）、発信者情報を検出しない場合（Ｎｏ）は、処理Ｓ２５へ行く。
【００４４】
一方、処理Ｓ２３において、画像と文字情報の発信者情報を検出した場合（Ｙｅｓ）は、表示部１２へ発信者情報の表示を行い（Ｓ２４）、呼出し音の発生や振動等によって通常の電話の呼出しを行い（Ｓ２５）、オフフック信号の検出、回線断の検出を行い（Ｓ２６）、オフフックを検出した場合（１）は、通話状態にし（Ｓ２７）、オンフックが検出されたか判断を行い（Ｓ２８）、オンフックされない場合（Ｎｏ）は、処理Ｓ２７へ戻り、オンフックされた場合（Ｙｅｓ）は、着呼処理を終了する。
【００４５】
一方、処理Ｓ２６において、回線断を検出した場合（２）は、発信者情報がある場合には一時記憶されている発信者情報と発信者電話番号レジスタ２２に記憶された発信者電話番号と受信日時とを受信記憶部２５に格納（記録）し（Ｓ２９）、着呼処理を終了する。
【００４６】
次に、本発明の電話システムにおける着信側電話機の表示部１２における発信者情報の表示例について、図８を使って説明する。図８は、本発明の電話システムにおける着信側電話機の表示部における発信者情報の表示例を示す説明図である。
本発明の電話システムにおける着信側電話機の表示部１２における発信者情報の表示例は、図８に示すように、受信した発信者情報の画像を左側に、文字情報を右側に表示するようになっている。
また、片方の情報だけをキー操作で切り替えたり、表示をスクロールして表示させる構成にしても良い。
【００４７】
次に、本発明の電話システムにおける発信側及び着信側の電話機の動作について説明する。
本発明の電話システムにおける発信側電話機では、ＲＡＭ１７内の発信者情報記憶部２３に予め発信者情報と発信者情報の送信先が記憶されており、キー入力部１９によって電話番号が入力されると、入力された電話番号がＲＡＭ１７の送信先電話番号レジスタ２１に記憶され、回線が接続されると、入力された電話番号が発信者情報送信先リスト２４の電話番号エリアにリストされている場合は、発信者情報記憶部２３から送信先電話番号レジスタ２１に記憶された電話番号に対応した画像や文字情報の発信者情報が読み出され、発信者情報が無線通信回路部１５へ出力され、アンテナ１４を介して事業者設備２に送信される。
【００４８】
この時、事業者設備２では、発信側電話機の電話番号に対応付けられて送信先電話番号が情報送信先電話番号として登録されているので、発信者情報の送信に関しても課金を行う。
【００４９】
そして、着信側電話機では、事業者設備２からアンテナ１４を介して無線通信回路部１５から着呼を受け付け、発信者番号が受信されると、ＲＡＭ１７内の発信者電話番号レジスタ２２に発信者番号が記憶され、画像と文字情報の発信者情報が検出されると一時的に記憶されて表示部１２へ画像と文字情報の発信者情報が表示され、呼出しが行われ、オフフックされると通話状態になり、オフフックされずに回線が切れた場合は、ＲＡＭ１７内の受信記憶部２５に画像と文字情報の発信者情報と発信者電話番号レジスタ２２に記憶された発信者電話番号と受信日時とが格納されるようになっている。
【００５０】
尚、本発明の電話システムにおいて、発信者情報のデータ量や時間に対して課金を行っても良いし、従量制の課金ではなく付加サービスとしての固定料金の課金を行ってもよい。
また、課金を行うのではなく、事業者側におけるサービスとしてのアピールポイントとしてもよい。
【００５１】
また、上記説明では、発信者情報及び送信先電話番号を発信側電話機１内に保持する構成であったが、予め事業者設備２内に登録しておき、発信側電話機１からの通話開始要求に従って、事業者設備２が発信者情報を着信側電話機に送信するようにしても構わない。
【００５２】
また、上記説明では、発信者情報送信先リスト２４を、発信側電話機が保持する構成だが、事業者設備２側で保持する構成にしたり、あるいは登録された電話番号を事業者設備２で暗号化した発信者情報送信先リスト２４を発信側電話機で保持する構成も考えられる。
【００５３】
本発明の実施の形態に係る電話システムよれば、発信側電話機１のＲＡＭ１７内の発信者情報記憶部２３に予め画像と文字情報からなる発信者情報と発信者情報の送信先が登録されており、発信側電話機１から発信者情報の送信先として登録された電話番号へ発呼する際に、発信者情報を送信し、着信側電話機３を呼び出す際に発信者情報が送信されて、着信側電話機３で発信者情報が表示されるので、着信側電話機３では、オフフックの前に発信者に関する画像と文字情報からなる情報が確認でき、分かり易い情報で相手を確認してから通話を行うことができ、使い勝手が向上する効果がある。
また、着信側でオフフックされず通話が為されない時には、ＲＡＭ１７内の受信記憶部２５に受信された発信者情報が記憶されるので、着信履歴に関しても、発信者に関する画像と文字情報からなる情報が確認でき、使い勝手が向上する効果がある。
【００５４】
また、発信者情報として複数の種類が登録でき、各発信者情報に対応付けて、送信先電話番号が登録できるので、ビジネスユースやプライベートユースなど、相手に応じて適切な発信者情報を送ることができ、利用範囲も拡大できる効果がある。
【００５５】
また、本発明の電話システムによれば、事業者設備２において、発信側電話機１の番号に対応付けられた発信者情報の情報送信先電話番号が予め記憶されており、発信側電話機１から登録されている電話番号への発呼が行われると、発信者情報の送信に関しても課金を行うので、発信者の情報送信を実用可能なサービスとして実現できる効果がある。
【００５６】
また、本発明の電話システムによれば、発信者情報として画像と文字情報を送信するので、例えば、通話を行わなくても発信者側から簡単な画像及びメッセージをデータ送信することもでき、且つ事業者設備としては、このデータ送信に対する課金を行うことができるので、新しい形でのサービスとして実現できる効果がある。
【００５７】
本発明によれば、発信側電話機が、発信者の情報と当該発信者の情報の送信先電話番号とを予め記憶すると共に、送信先電話番号へ発呼を開始した場合、事業者設備との回線接続後に発信者の情報を送信し、事業者設備が、発信側電話機に対応付けて登録された発信者の情報の送信先電話番号を予め記憶し、発信側電話機からの発呼を受け付け、発呼先の電話番号が記憶している情報送信先電話番号である場合、通話開始前に為された発信者の情報送信にも課金を行い、着呼側電話機が、事業者設備からの呼び出しを受ける際に、発信者の情報を受信して表示してから着呼の処理を行い、通話が為されない時には、受信した発信者の情報を記憶する電話システムとしているので、通話開始前に発信者の情報を送信する機能を実用可能なサービスとして実現できる効果がある。
【産業上の利用可能性】
【００５８】
本発明は、発呼を行うとき、複数のメッセージの中から任意のメッセージを選択し、発呼処理が行われているときに選択されたメッセージを送信できる携帯電話機に好適である。
【図面の簡単な説明】
【００５９】
【図１】本発明の実施の形態に係る電話システムのシステム構成図である。
【図２】本発明の実施の形態に係る電話システムにおける電話機の構成ブロック図である。
【図３】本発明の電話システムにおける発信側電話機の発信者情報記憶部の構成例を示す説明図である。
【図４】本発明の電話システムにおける発信側電話機の発信者情報送信先リストの構成例を示す説明図である。
【図５】本発明の電話システムにおける受信側電話機の受信記憶部の構成例を示す説明図である。
【図６】本発明の電話システムにおける発信側電話機の発呼処理の流れを示すフローチャート図である。
【図７】本発明の電話システムにおける着信側電話機の着呼処理の流れを示すフローチャート図である。
【図８】本発明の電話システムにおける着信側電話機の表示部における発信者情報の表示例を示す説明図である。
【符号の説明】
【００６０】
１…発信側電話機、  ２…事業者設備、  ３…着信側電話機、  １１…ＣＰＵ、  １２…表示部、  １３…マイクロホン、  １４…アンテナ、  １５…無線通信回路部、１６…スピーカー、  １７…ＲＡＭ、  １８…ＲＯＭ、  １９…キー入力部、  ２１…発信先電話番号レジスタ、  ２２…発信者電話番号レジスタ、  ２３…発信者情報記憶部、  ２４…発信者情報送信先リスト、  ２５…受信機億部
【図１】
2008154272.tif 000003
【図２】
2008154272.tif 000004
【図３】
2008154272.tif 000005
【図４】
2008154272.tif 000006
【図５】
2008154272.tif 000007
【図６】
2008154272.tif 000008
【図７】
2008154272.tif 000009
【図８】
2008154272.tif 000010